(57)【要約】【課題】ボルト締付けの際のバネ座金のボルト軸線方向における弾性変形量を、ボルトに緩みが生じた際のバネ座金のボルト軸線方向における復元量よりも小さくさせることできる構造を有するバネ座金を提供すること。【解決手段】本発明のバネ座金は、一枚の板材を第一の折り曲げ線に沿って折り曲げる第一の折り曲げ加工と、第一の折り曲げ線と所定の角度を有して交差する第二の折り曲げ線に沿って第一の折り曲げ加工後の板材を折り曲げる第二の折り曲げ加工と、第二の折り曲げ線上に中心を有するボルト用挿通穴を加工する穴加工とにより形成され、第一の折り曲げ加工では、ボルトに緩みが生じた際にバネ座金がボルト軸線方向において拡張変形しうる量となる復元量が所定量となるようにされ、第二の折り曲げ加工においては、ボルトを締付ける際のバネ座金のボルト軸線方向における弾性変形量が上記復元量よりも小さくなるようにされる。【選択図】図１
2008281127.tif 000002
【特許請求の範囲】
【請求項１】
ボルトにより被締結物を締結する際に用いる緩み止め用座金であって、一枚の板材から形成されるバネ性を有するバネ座金において、
前記バネ座金は、前記板材を第一の折り曲げ線に沿って折り曲げる第一の折り曲げ加工と、前記第一の折り曲げ線と所定の角度を有して交差する第二の折り曲げ線に沿って前記第一の折り曲げ加工後の板材を折り曲げる第二の折り曲げ加工と、前記第二の折り曲げ線上に中心を有するボルト用挿通穴を加工する穴加工とにより形成され、
前記第一の折り曲げ加工においては、ボルトに緩みが生じた際に前記バネ座金がボルト軸線方向において拡張変形しうる量となる復元量が所定量となるように、前記板材が前記第一の折り曲げ線に沿って折り曲げ加工され、
前記第二の折り曲げ加工においては、ボルトを締付ける際の前記バネ座金のボルト軸線方向における弾性変形量に相当する前記第二の折り曲げ加工後の前記バネ座金の高さが前記復元量よりも小さくなるように、前記第一の折り曲げ加工後の板材が前記第二の折り曲げ線に沿って折り曲げ加工される、
ことを特徴とするバネ座金。
【請求項２】
前記第一の折り曲げ加工前の板材は、対称形状に形成され、
前記第一の折り曲げ線は、前記対称形状の対称軸線と一致し、
前記第二の折り曲げ線は、前記第一の折り曲げ線の中点を通り且つ前記第一の折り曲げ線と９０°の角度を有して交差する、
ことを特徴とする請求項１に記載のバネ座金。
【発明の詳細な説明】
【技術分野】
【０００１】
本発明は、ボルトにより被締結物を締結する際に用いる緩み止め用座金であって、特に、一枚の板材から形成されるバネ性を有する座金すなわちバネ座金に関する。
【背景技術】
【０００２】
ボルトやナット等からなるボルト締結体は、その締付け時にボルト軸部がその軸線方向に伸びて、そのバネ反力により被締結物を締付ける。このようなボルト締結体においては、ボルトの締付け後において、例えばボルト締結体や被締結物の座面にへたりが生じた場合、ボルト軸部の伸び量が減少して、ボルトの軸力が低下する、いわゆる緩みが生じる。そして、この緩みが原因で、ボルト締結体の被締結物からの脱落などがもたらされる場合がありうる。
【０００３】
こうしたボルトの緩みを抑えるためにバネ性を有するバネ座金が用いられている。該バネ座金は、ボルトと被締結物との間あるいはナットと被締結物との間に配設されて、ボルト締付け時に弾性変形し、何らかの原因に起因してボルト軸部の伸びが減少した際に、弾性変形されたバネ座金がもとの状態に復元しようとする力すなわちバネ反力で、ボルトやナットの座面と被締結物の座面との間を押し広げ、軸力低下を抑えることにより、ボルトの緩みを防止する。
【０００４】
このようなバネ座金においては、ボルト締付け時に生じるバネ座金のバネ反力を大きくすることで、優れた緩み止め効果をもたらすことが可能となる。
【０００５】
【特許文献１】特開２００３−１４８４４１号公報
【特許文献２】実開昭６０−６７４１５号公報
【発明の開示】
【発明が解決しようとする課題】
【０００６】
しかしながら、ボルト締付け時に生じるバネ座金のバネ反力を大きくすべく、ボルト締付け時におけるバネ座金の弾性変形量を大きくするようにする場合には、弾性変形前のバネ座金のボルト軸線方向の高さは大きいものとなり、これに伴い、ボルトの長さやボルト穴の深さを大きくする必要が生じ、このことは、ボルト締結体構造のコンパクト化を阻害する要因となる。また、ボルト締付け時におけるバネ座金の弾性変形量を大きくするようにする場合には、ボルトの締付けに必要なボルトあるいはナットの締付け回転角量が大きくなり、ボルト締付けの際の作業性の悪化をもたらす。
【０００７】
一方で、ボルト締結体構造のコンパクト化及びボルト締付けの際の作業性の向上を図るべく、バネ座金のバネ定数を大きくすることでバネ座金のバネ反力を維持しつつ、ボルト締付けの際のバネ座金のボルト軸線方向における弾性変形量と、ボルトに緩みが生じた際にバネ座金がボルト軸線方向において拡張変形しうる量となる復元量とをともに小さいものとした場合、ボルトに緩みが生じた際のバネ座金の復元量が小さいが故に、ボルトの緩みに対してバネ座金のバネ反力が作用する範囲が狭くなってしまうという問題が生じる。例えば、ボルト締結体や被締結物の座面に、バネ座金のバネ反力が作用する範囲を越えるような大きなへたりが生じた場合には、バネ座金のバネ反力がボルトの緩みに対して作用することできず、被締結物からのボルトやナットの脱落をもたらす可能性がある。
【０００８】
本発明は上記課題に鑑み、ボルト締付けの際のバネ座金のボルト軸線方向における弾性変形量とボルトに緩みが生じた際のバネ座金のボルト軸線方向における復元量とを相違させることができる構造、具体的には、ボルト締付けの際のバネ座金のボルト軸線方向における弾性変形量を、ボルトに緩みが生じた際のバネ座金のボルト軸線方向における復元量よりも小さくさせることできるような構造を有し、バネ座金が所定のバネ性を有しつつ、ボルト締結体構造のコンパクト化及びボルト締付けの際の作業性の向上を図ることを可能にするとともに、ボルトの緩みに対するバネ座金のバネ反力の作用範囲の向上を図ることが可能なバネ座金を提供することを目的とする。
【０００９】
尚、特許文献１においては、金属製の板材を二つ折りにして、該折り目を介して連接する二つの面にそれぞれ挿通孔を設けたバネ座金が開示されている。また、特許文献２においては、直径を通る中央線で、所定角度に折り曲げて山形状に形成したバネ座金が開示されている。しかしながら、特許文献１及び特許文献２に開示されているバネ座金は、ボルト締付けの際のバネ座金のボルト軸線方向における弾性変形量とボルトに緩みが生じた際のバネ座金のボルト軸線方向における復元量とは同一なものであり、本発明で実現されるバネ座金とは構成要件が異なるものである。
【課題を解決するための手段】
【００１０】
請求項１に記載の発明によれば、ボルトにより被締結物を締結する際に用いる緩み止め用座金であって、一枚の板材から形成されるバネ性を有するバネ座金において、前記バネ座金は、前記板材を第一の折り曲げ線に沿って折り曲げる第一の折り曲げ加工と、前記第一の折り曲げ線と所定の角度を有して交差する第二の折り曲げ線に沿って前記第一の折り曲げ加工後の板材を折り曲げる第二の折り曲げ加工と、前記第二の折り曲げ線上に中心を有するボルト用挿通穴を加工する穴加工とにより形成され、前記第一の折り曲げ加工においては、ボルトに緩みが生じた際に前記バネ座金がボルト軸線方向において拡張変形しうる量となる復元量が所定量となるように、前記板材が前記第一の折り曲げ線に沿って折り曲げ加工され、前記第二の折り曲げ加工においては、ボルトを締付ける際の前記バネ座金のボルト軸線方向における弾性変形量に相当する前記第二の折り曲げ加工後の前記バネ座金の高さが前記復元量よりも小さくなるように、前記第一の折り曲げ加工後の板材が前記第二の折り曲げ線に沿って折り曲げ加工される、ことを特徴とするバネ座金が提供される。
【００１１】
すなわち、請求項１に記載の発明においては、第一の折り曲げ加工により、ボルトに緩みが生じた際にバネ座金がボルト軸線方向において拡張変形しうる量となる復元量が所定量となるように、板材が第一の折り曲げ線に沿って折り曲げ加工される。また、第二の折り曲げ加工により、ボルトを締付ける際のバネ座金のボルト軸線方向における弾性変形量に相当する第二の折り曲げ加工後のバネ座金の高さが上記バネ座金の復元量よりも小さくなるように、第一の折り曲げ加工後の板材が、第一の折り曲げ線と所定の角度を有して交差する第二の折り曲げ線に沿って折り曲げ加工される。更に、穴加工により、第二の折り曲げ線上に中心を有するボルト用挿通穴が加工される。ここで留意すべき点は、第一の折り曲げ線と所定の角度を有して交差する第二の折り曲げ線に沿って行われる第二の折り曲げ加工により、ボルトの締付けにより第二の折り曲げ線に沿った板材の折り曲げがなくなるまでの間、第一の折り曲げ線を回転軸線としたバネ座金の拡張変形を抑制することが可能となることである。
【００１２】
このような各加工により形成されたバネ座金によれば、ボルト締付けが行われると、バネ座金は押圧されて、第二の折り曲げ加工後のバネ座金のボルト軸方向における高さ分だけ弾性変形する。この際、ボルト用挿通穴の中心が第二の折り曲げ線上にあるため、ボルト締付けにより第二の折り曲げ線が押圧されることになり、ボルトの締付け完了状態においては第二の折り曲げ線に沿った折り曲がりがなくなり、この状態で座金は保持されることになる。そして、第二の折り曲げ線に沿った折り曲がりがなくなると、第一の折り曲げ線を回転軸線としたバネ座金の拡張変形が可能となり、ボルトに緩みが生じた際にバネ座金はボルト軸線方向において拡張変形することができ、第一の折り曲げ加工によりもたされるバネ座金の復元量の範囲においてボルトの緩みに対してバネ座金のバネ反力を作用させることが可能となる。
【００１３】
また、第二の折り曲げ加工において、ボルトを締付ける際のバネ座金のボルト軸線方向における弾性変形量に相当する第二の折り曲げ加工後のバネ座金の高さは、バネ座金の復元量よりも小さくなるように、第一の折り曲げ加工後の板材が第二の折り曲げ線に沿って折り曲げ加工されるために、ボルト締付けの際のバネ座金のボルト軸線方向における弾性変形量を、ボルトに緩みが生じた際のバネ座金のボルト軸線方向における復元量よりも小さくさせることできるような構造を有するバネ座金を実現することが可能となる。
【００１４】
請求項２に記載の発明によれば、前記第一の折り曲げ加工前の板材は、対称形状に形成され、前記第一の折り曲げ線は、前記対称形状の対称軸線と一致し、前記第二の折り曲げ線は、前記第一の折り曲げ線の中点を通り且つ前記第一の折り曲げ線と９０°の角度を有して交差する、ことを特徴とする請求項１に記載のバネ座金が提供される。
【発明の効果】
【００１５】
各請求項に記載の発明によれば、ボルト締付けの際のバネ座金のボルト軸線方向における弾性変形量を、ボルトに緩みが生じた際のバネ座金のボルト軸線方向において拡張変形しうる量となる復元量よりも小さくさせることできるような構造を有するバネ座金を実現することができ、バネ座金が所定のバネ性を有しつつ、ボルト締結体構造のコンパクト化及びボルト締付けの際の作業性の向上を図ることを可能にするとともに、ボルトの緩みに対するバネ座金のバネ反力の作用範囲の向上を図ることが可能となる、共通の効果を奏する。
【発明を実施するための最良の形態】
【００１６】
本発明のバネ座金の一実施形態について図面を参照して説明する。
図１は、本発明のバネ座金の一実施形態の概観を示す斜視図である。図１において、１はバネ座金、２は板材、３はボルト用挿通穴、４は第一の折り曲げ線、５は第二の折り曲げ線をそれぞれ示す。図１から理解されるように、本発明のバネ座金１は、一枚の板材２から形成されるバネ性を有するバネ座金であって、一枚の板材２を、第一の折り曲げ線４及び第二の折り曲げ線５に沿って２回折り曲げることにより形成される。また、本発明のバネ座金１には、第二の折り曲げ線５上に中心を有して形成されるボルト用挿通穴３が設けられている。
【００１７】
まず、図１に示される本発明のバネ座金１の製造方法について説明する。図２は、図１に示される本発明のバネ座金の製造方法の一実施形態を示す図である。
図２から理解されうるように、本発明のバネ座金１は、板材２を第一の折り曲げ線４に沿って折り曲げる第一の折り曲げ加工と、第一の折り曲げ線４と所定の角度を有して交差する第二の折り曲げ線５に沿って第一の折り曲げ加工後の板材２を折り曲げる第二の折り曲げ加工と、第二の折り曲げ線５上に中心を有するボルト用挿通穴３を加工する穴加工とにより形成される。
【００１８】
第一の折り曲げ加工においては、ボルトに緩みが生じた際に、バネ座金１のボルト軸線方向において拡張変形しうる量となる復元量が所定量となるように、板材２が第一の折り曲げ線４に沿って折り曲げ加工される。尚、本実施形態においては、板材２として金属製の板材が使用される。しかしながら、これに限定されることはなく、折り曲げ加工後に所定の上記復元量を実現しうる材料であれば、金属以外の材料を板材２に適用してもよい。
【００１９】
第二の折り曲げ加工においては、ボルトを締付ける際のバネ座金１のボルト軸線方向における弾性変形量に相当する第二の折り曲げ加工後のバネ座金１の高さが上記復元量よりも小さくなるように、第一の折り曲げ加工後の板材２が第二の折り曲げ線５に沿って折り曲げ加工される。ここで留意すべき点は、第一の折り曲げ線４と所定の角度を有して交差する第二の折り曲げ線５に沿って行う第二の折り曲げ加工は、ボルトの締付けにより第二の折り曲げ線に沿った板材の折り曲げがなくなるまでの間、第一の折り曲げ線４を回転軸線としたバネ座金の拡張変形すなわちバネ座金が開こうとする変形を抑制することを可能とすることである。
【００２０】
尚、図１に示す実施形態においては、第一の折り曲げ加工前の板材２は、対称形状を有して、特に長方形形状を有して形成されている。そして第一の折り曲げ線４は、長方形を２分割する対称軸線と一致する。また、第二の折り曲げ線５は、第一の折り曲げ線４の中点を通り、且つ、第一の折り曲げ線４と９０°の角度を有して交差する。
【００２１】
しかしながら、第一の折り曲げ線４及び第二の折り曲げ線５は、これに限定されるものではない。例えば、第一の折り曲げ線４は、第一の折り曲げ加工前の板材２の対称軸線と一致させる必要なく該対称軸線からオフセットされていてもよい。また、第二の折り曲げ線５は、第一の折り曲げ線４の中点からオフセットされた第一の折り曲げ線４の点を通り、且つ、第一の折り曲げ線４と９０°以外の角度、例えば８０°の角度を有して交差するものとされてもよい。更に、第一の折り曲げ加工前の板材２は、長方形状以外の例えば正方形状のような対称形状に形成されてもよく、また、対称性を有しない形状に形成されてもよい。
【００２２】
尚、ボルト用挿通穴３の穴加工については、第一の折り曲げ加工前の板材２に予め加工が施されてもよく、また、第一の折り曲げ加工後であって第二の折り曲げ加工前に加工が施されてもよく、また、第二の折り曲げ加工後に加工が施されてもよい。
【００２３】
次に、このような各加工が施されて形成された本発明のバネ座金１の作用について説明する。図３は、本発明のバネ座金１の側面図であって、表面が平坦な定盤上にバネ座金１を配置して、バネ座金１の第二の折り曲げ線５上にボルト軸線方向の荷重を付与した際及び該付与した荷重を解除した際のバネ座金１の形態の移り変わりを説明するための図である。
【００２４】
図３に示されるように、本発明のバネ座金１に、該バネ座金１の第二の折り曲げ線５上を押圧するようなボルト軸方向の荷重が付与されると、第二の折り曲げ加工後のバネ座金１のボルト軸線方向における高さ（ａ）分だけ弾性変形し、第二の折り曲げ線５の沿った折曲がりがなくなった状態で保持されることになる。
【００２５】
第二の折り曲げ線５に沿った折り曲がりがなくなると、第一の折り曲がり線４を回転軸線としたバネ座金１の拡張変形の第二の折り曲げ加工による抑制が解除され、バネ座金１は、第一の折り曲がり線４を回転軸線としたバネ座金１の拡張変形が可能な状態とされる。この状態で、バネ座金１に付与されていたボルト軸線方向の荷重が解除されると、第一の折り曲げ加工によりもたらされたバネ座金１の所定の復元量すなわちバネ座金１がボルト軸線方向において拡張変形しうる量（ｂ）だけ、バネ座金１は拡張変形する。
【００２６】
第二の折り曲げ加工においては、ボルトを締付ける際のバネ座金１のボルト軸線方向における弾性変形量に相当する第二の折り曲げ加工後のバネ座金１の高さ（ａ）が、バネ座金１の上記復元量（ｂ）よりも小さくなるように、第一の折り曲げ加工後の板材２が第二の折り曲げ線５に沿って折り曲げ加工されるため、バネ座金１の上記復元量（ｂ）は、第二の折り曲げ加工後のバネ座金１の高さ（ａ）よりも大きいものとなる。
【００２７】
次に、このような本発明のバネ座金１を、ボルトによる被締結物の締結に使用した際のバネ座金１の作用について説明する。図４は、本発明のバネ座金１を、ボルトによる被締結物の締結に使用した際のバネ座金１の作用について説明するための図である。図４において、１０はボルト頭部、１１はワッシャー、１２は被締結物をそれぞれ示す。
【００２８】
図４に示される実施形態においては、被締結物１２上にワッシャー１１が配置され、本発明のバネ座金１がワッシャー１１とボルト頭部１０との間に配設される。図４に示されるように、バネ座金１にボルト頭部１０を当接させボルトを締め付けていくと、バネ座金１は、被締結物１２とボルト頭部１０との間で押圧され、ボルト軸線方向における弾性変形量に相当する第二の折り曲げ加工後のバネ座金の高さ（ａ）だけ弾性変形する。その際、バネ座金１のボルト挿通穴３の中心が第二の折り曲げ線５上にあるため、バネ座金１の第二の折り曲げ線５が押圧されてバネ座金１は弾性変形することになる。
【００２９】
ボルトを締付けていき、ボルト軸線方向における弾性変形量に相当する第二の折り曲げ加工後のバネ座金１の高さ（ａ）だけバネ座金１が弾性変形されたボルト締め付けの完了状態においては、バネ座金１は、該バネ座金１の第二の折り曲げ線５に沿った折り曲げりがない状態でワッシャー１１及びボルト頭部１０と密着して保持される。
【００３０】
バネ座金１の第二の折り曲げ線５に沿った折り曲げりがなくなると、第二の折り曲げ加工により抑制されていたバネ座金１の第一の折り曲がり線４を回転軸線とした拡張変形が可能となる。よって、バネ座金１の第二の折り曲げ線５に沿った折り曲げりがないボルト締付け完了状態においては、バネ座金１は、第一の折り曲げ加工によりもたらされたバネ反力すなわちバネ座金１がボルト軸線方向において拡張変形しうる量となる復元量に相当するバネ反力を有した状態で保持されることになる。
【００３１】
そしてボルトの緩みが発生した場合、例えば被締結物の座面のへたり等に起因して、ボルト軸部の伸び量が減少した場合においては、バネ座金１が第一の折り曲げ線４を回転軸線として拡張変形し、ボルト頭部１０と被締結物１２との間を押し広げて軸力の低下を抑え、ボルトの緩みを防止する。本発明のバネ座金１において、第一の折り曲げ加工によりもたらされたバネ座金１のボルト軸線方向において拡張変形しうる量（ｂ）となる復元量の範囲において、ボルトの緩みに対してバネ座金１のバネ反力を有効に作用させることができる。
【００３２】
このように、ボルトによる被締結物の締結に本発明のバネ座金１を使用した場合、ボルト締付けは、ボルト軸線方向における弾性変形量に相当する第二の折り曲げ加工後のバネ座金の高さ（ａ）だけバネ座金１が弾性変形されることでなされる。また、ボルト締付け後においてボルトの緩みが生じた際には、第一の折り曲げ加工によりもたらされたバネ座金１のボルト軸線方向において拡張変形しうる量（ｂ）となる復元量の範囲において、ボルトの緩みに対してバネ座金のバネ反力を作用させることができる。
【００３３】
そして、第二の折り曲げ加工においては、ボルトを締付ける際のバネ座金１のボルト軸線方向における弾性変形量に相当する第二の折り曲げ加工後のバネ座金１の高さ（ａ）は、第一の折り曲げ加工によりもたらされたバネ座金１のボルト軸線方向において拡張変形しうる量（ｂ）となるバネ座金１の復元量よりも小さくなるように、第一の折り曲げ加工後の板材２が第二の折り曲げ線５に沿って折り曲げ加工されるため、ボルト締付けの際のバネ座金１のボルト軸線方向における弾性変形量を、ボルトに緩みが生じた際のバネ座金のボルト軸線方向における上記復元量よりも小さくさせることできるような構造を有するバネ座金を実現することが可能となる。
【００３４】
第二の折り曲げ加工が行われることなく第一の折り曲げ加工のみにより形成されるバネ座金においては、ボルトを締付ける際のバネ座金のボルト軸線方向における弾性変形量と、ボルトに緩みが生じた際のバネ座金のボルト軸線方向における上記復元量とは同一となり、上記のような構造が実現されない。また、第二の折り曲げ加工が行われることなく第一の折り曲げ加工のみにより形成されるバネ座金においては、ボルトに緩みが生じた際のバネ座金のボルト軸線方向における復元量を維持しバネ反力を維持するためには、該復元量分の弾性変形をボルト締付けの際に行うことが必要となる。
【００３５】
これに対し、本発明のバネ座金１によれば、第一の折り曲げ加工によりもたらされるバネ座金１のバネ反力を維持しつつ、ボルト締め付けの際に必要となる弾性変形量を小さくすることができる。ボルト締付けの際のバネ座金１のボルト軸線方向における弾性変形量を小さくすることができるということは、ボルト締付けの際に必要なボルト締付け回転量を低減することを可能とし、ボルト締付けの際の作業性の向上を図ることを可能とするとともに、ボルト締結体構造のコンパクト化を図ることを可能とする。
【００３６】
また、第二の折り曲げ加工が行われることなく第一の折り曲げ加工のみにより形成されるバネ座金においては、ボルト締付けの際の弾性変形量分の範囲において、ボルトの緩みに対してバネ座金のバネ反力が作用することになる。これに対して、本発明のバネ座金１によれば、ボルト締付けの際の弾性変形量分よりも大きな範囲において、ボルトの緩みに対してバネ座金のバネ反力を作用させることができ、ボルトの緩みに対するバネ座金のバネ反力の作用範囲の向上を図ることを可能とする。
【図面の簡単な説明】
【００３７】
【図１】本発明のバネ座金の一実施形態の概観を示す斜視図である。
【図２】図１に示される本発明のバネ座金の製造方法の一実施形態を示す図である。
【図３】本発明のバネ座金１の側面図であって、表面が平坦な定盤上にバネ座金１を配置して、バネ座金１の第二の折り曲げ線５上にボルト軸線方向の荷重を付与した際及び該付与した荷重を解除した際のバネ座金１の形態の移り変わりを説明するための図である。
【図４】本発明のバネ座金１を、ボルトによる被締結物の締結に使用した際のバネ座金１の作用について説明するための図である。
【符号の説明】
【００３８】
１    バネ座金
２    板材
３    ボルト用挿通穴
４    第一の折り曲げ線
５    第二の折り曲げ線
【図１】
2008281127.tif 000003
【図２】
2008281127.tif 000004
【図３】
2008281127.tif 000005
【図４】
2008281127.tif 000006